(57)【要約】      （修正有）【課題】レール溝の行程を予め設定することで、電子モジュールは収納モジュール中に収納しやすくなり、しかも簡単な押圧動作によって収納モジュール中から取り出すことができる電子装置を提供する。【解決手段】収納モジュールと、電子モジュールとを備える電子装置であって、収納モジュールは受容手段１４０と、第１の連結体１２０と、第２の連結体１５０と、付勢手段１３０とを備える。付勢手段は第１の連結体と第２の連結体との間に設けられ、第２の連結体は受容手段に設けられ、第１の連結体及び第２の連結体はそれぞれ凸起１２６とレール溝３００とを有し、第１の連結体及び第２の連結体は凸起及びレール溝によって直線方向上で相対的に移動可能である。電子モジュールは受容手段に連結される。【選択図】図２
0003227690.tif 000002
【実用新案登録請求の範囲】
【請求項１】
受容手段と、第１の連結体と、第２の連結体と、付勢手段とを有しており、該付勢手段は該第１の連結体と該第２の連結体との間に設けられており、該第２の連結体は該受容手段に設けられており、該第１の連結体及び該第２の連結体はそれぞれ少なくとも一つの凸起とレール溝とを有しており、該第１の連結体及び該第２の連結体は該凸起及び該レール溝によって直線方向上で相対的に移動可能である、収納モジュールと、
該受容手段に連結されている電子モジュールと、
を備えることを特徴とする電子装置。
【請求項２】
電子モジュールと、
受容手段と、第１の連結体と、第２の連結体とを有しており、該受容手段は該電子モジュールに連結されており、該第１の連結体及び該第２の連結体は、互いに結合する少なくとも一つの凸起と、レール溝とをそれぞれ有している、収納モジュールと、
該受容手段に連結されるとともに、該受容手段を固定位置又は解除位置に位置決めする固定・解除機構と、
を備えることを特徴とする電子装置。
【請求項３】
前記収納モジュールが更にハウジングを備えており、前記受容手段、前記第１の連結体、前記第２の連結体及び前記付勢手段は該ハウジング内に収容されていることを特徴とする請求項１に記載の電子装置。
【請求項４】
前記レール溝が複数の行程を有していることを特徴とする請求項１ないし３のいずれか一項に記載の電子装置。
【請求項５】
各々の前記行程が固定区間を含み、該固定区間は第１の方向に延在している第１の側壁と、第２の方向に延在している第２の側壁とを有していることを特徴とする請求項４に記載の電子装置。
【請求項６】
前記第２の連結体は軸方向を有しており、前記第１の方向と前記軸方向とが第１の角度をなしており、前記第２の方向と前記軸方向とが第２の角度をなしており、該第１の角度は該第２の角度と異なることを特徴とする請求項５に記載の電子装置。
【請求項７】
前記第１の側壁及び前記第２の側壁が前記固定区間の両側又は同じ側に位置していることを特徴とする請求項５に記載の電子装置。
【請求項８】
各々の前記行程が解除区間を含み、該解除区間は前記第１の方向に延在している第３の側壁と、前記第１の方向に延在している第４の側壁とを有しており、前記第２の連結体は軸方向を有しており、該第３の側壁と該軸方向とが第３の角度をなしており、該第４の側壁と該軸方向とが第４の角度をなしており、該第３の角度は該第４の角度と異なることを特徴とする請求項５ないし７のいずれか一項に記載の電子装置。
【請求項９】
前記第３の側壁及び前記第４の側壁が前記解除区間の両側に位置していることを特徴とする請求項８に記載の電子装置。
【請求項１０】
各々の前記行程が複数の峰部頂点と複数の谷部頂点とを含み、該複数の峰部頂点と該複数の谷部頂点とが位置ずれで設けられていることを特徴とする請求項４ないし９のいずれか一項に記載の電子装置。
【請求項１１】
前記少なくとも一つの凸起の数量が偶数個であり、前記行程の数量が前記凸起の数量の整倍数であることを特徴とする請求項４ないし１０のいずれか一項に記載の電子装置。
【請求項１２】
前記ハウジングの開口端に設けられている滑り止め部を更に備えることを特徴とする請求項３に記載の電子装置。
【考案の詳細な説明】
【技術分野】
【０００１】
本考案は電子装置に関し、特に電子モジュールを押圧により収納又は展開することが可能な電子装置に関する。
【背景技術】
【０００２】
産業の発展及び生活品質の向上に伴って、美容又は保養に関する電子製品が日常生活中に広汎に応用されることが徐々に増えてきている。例えば、肌質測定器又はイオン導入美顔器等の電子モジュールはすでに一般の家庭中に見られるようになっている。
【０００３】
従来の技術文献ではこれに対して、例えば非特許文献１中のＳｏｎｙ  ＸＣ−９９９  Ｌｉｐｓｔｉｃｋ  Ｃａｍｅｒａという解決策を提案しており、しかも特許文献１中でも、主にリップクリーム又は化粧品に用いられるディスペンサ構造を提案している。
【先行技術文献】
【非特許文献】
【０００４】
【非特許文献１】Ｓｏｎｙ  ＸＣ−９９９  Ｌｉｐｓｔｉｃｋ  Ｃａｍｅｒａ（ｈｔｔｐｓ：／／ｃｉｎｅｑｕｉｐｔ．ｃｏｍ／ｐｒｏｄｕｃｔｓ／ｓｏｎｙ−ｘｃ９９９−ｌｉｐｓｔｉｃｋ−ｃａｍｅｒａ／）
【特許文献】
【０００５】
【特許文献１】米国特許出願第ＵＳ０９／９７３，２１２号
【考案の概要】
【考案が解決しようとする課題】
【０００６】
しかしながら、これら電子モジュールは構造が精密であることから、衝撃で損傷しないように専用の保護ケース中に収納する必要がある。しかしながら、これら保護ケースは操作しにくいことから、家に忘れたり、しまいこんだりして、電子モジュールと共に持ち歩くことがない。日が経つにつれて、これら保護ケースは紛失してしまう可能性がある。保護ケースを紛失してしまった後には、不注意で電子モジュールにぶつかってしまうと、電子モジュールの外観に傷が残ってしまうばかりでなく、電子モジュールが損傷してしまいやすくなる。
【課題を解決するための手段】
【０００７】
本考案の一態様では、収納モジュールと、電子モジュールとを備える電子装置を開示している。収納モジュールは受容手段と、第１の連結体と、第２の連結体と、付勢手段とを備える。付勢手段は第１の連結体と第２の連結体との間に設けられており、第２の連結体は受容手段に設けられており、第１の連結体及び第２の連結体はそれぞれ凸起とレール溝とを有しており、第１の連結体及び第２の連結体は凸起及びレール溝によって直線方向上で相対的に移動可能である。電子モジュールは受容手段に連結されている。
【０００８】
本考案の他の態様は、電子モジュールと、収納モジュールと、固定・解除機構とを備える電子装置である。収納モジュールは、受容手段と、第１の連結体と、第２の連結体とを有しており、受容手段は電子モジュールに連結されており、第１の連結体及び第２の連結体は、互いに結合する凸起と、レール溝とをそれぞれ有している。固定・解除機構は受容手段に連結されるとともに、受容手段を固定位置又は解除位置に位置決めする。
【０００９】
一つの実施例において、収納モジュールはハウジングを更に備えており、受容手段、第１の連結体、第２の連結体及び付勢手段がハウジング内に収容されている。
【００１０】
一つの実施例において、レール溝は複数の行程を有している。
【００１１】
一つの実施例において、各々の行程は固定区間を含み、固定区間は第１の方向に延在している第１の側壁と、第２の方向に延在している第２の側壁とを有している。
【００１２】
一つの実施例において、第２の連結体は軸方向を有しており、第１の方向と軸方向とが第１の角度をなしており、第２の方向と軸方向とが第２の角度をなしており、第１の角度は第２の角度と異なる。
【００１３】
一つの実施例において、第１の側壁及び第２の側壁が固定区間の両側又は同じ側に位置している。
【００１４】
一つの実施例において、各々の行程が解除区間を含み、解除区間は第１の方向に延在している第３の側壁と、第１の方向に延在している第４の側壁とを有しており、第２の連結体は軸方向を有しており、第３の側壁と軸方向とが第３の角度をなしており、第４の側壁と軸方向とが第４の角度をなしており、第３の角度は第４の角度と異なる。
【００１５】
一つの実施例において、第３の側壁及び第４の側壁が解除区間の両側に位置している。
【００１６】
一つの実施例において、各々の行程が複数の峰部頂点と複数の谷部頂点とを含み、峰部頂点と谷部頂点とが位置ずれで設けられている。
【００１７】
一つの実施例において、凸起の数量が偶数個であり、行程の数量が凸起の数量の整倍数である。
【００１８】
一つの実施例において、電子装置はハウジングの開口端に設けられている滑り止め部を更に備える。
【考案の効果】
【００１９】
本考案では、収納及び取り出ししやすい電子装置を提供するものであって、レール溝の行程を予め設定することで、電子モジュールは収納モジュール中に収納しやすくなり、しかも簡単な押圧動作によって電子モジュールを収納モジュール中から取り出すことができる。
【００２０】
本考案の上記及びその他目的、特徴、長所及び実施例がより明確に理解されやすくするために、図面を合わせて詳細に以下の通り説明する。
【図面の簡単な説明】
【００２１】
【図１Ａ】本考案の電子装置の一つの実施例の収納状態での外観模式図である。
【図１Ｂ】本考案の電子装置の一つの実施例の展開状態での外観模式図である。
【図２】本考案の電子装置の収納モジュールの一つの実施例の分解図である。
【図３Ａ】図２中における第２の連結体の第１の視角での局部拡大図である。
【図３Ｂ】図２中における第２の連結体の第２の視角での局部拡大図である。
【図４Ａ】それぞれ本考案の電子装置の一つの実施例の各収納段階での模式図である。
【図４Ｂ】それぞれ本考案の電子装置の一つの実施例の各収納段階での模式図である。
【図４Ｃ】それぞれ本考案の電子装置の一つの実施例の各収納段階での模式図である。
【図４Ｄ】それぞれ本考案の電子装置の一つの実施例の各収納段階での模式図である。
【図４Ｅ】それぞれ本考案の電子装置の一つの実施例の各収納段階での模式図である。
【図５】本考案の電子装置の一つの実施例の解除位置での断面図である。
【考案を実施するための形態】
【００２２】
以下にて図面及び詳細な説明により、本考案の技術思想を説明するが、当業者は本考案の好ましい実施例を理解した後、本考案により教示される技術につき変更及び付加を行うことができるものであり、これは本考案の技術思想及び範囲から離れることはない。
【００２３】
それぞれ本考案の電子装置の一つの実施例の収納状態及び展開状態での外観模式図である図１Ａ及び図１Ｂを参照する。
【００２４】
図１Ａ及び図１Ｂを同時に参照する。電子装置１０は収納モジュール１００と、電子モジュール２００とを備える。収納モジュール１００は電子モジュール２００が外力衝撃を受けて損傷しないように保護することができる。しかも電子モジュール２００は収納モジュール１００から手軽に取り出すことができる。電子モジュール２００と収納モジュール１００とは一体的な設計であることから、携行性又は操作性の上のいずれにも関わらず、良好なバランスを得ることができる。
【００２５】
図２は本考案の電子装置の収納モジュールの一つの実施例の分解図である。
【００２６】
図２を参照する。収納モジュール１００はハウジング１１０と、第１の連結体１２０と、付勢手段１３０と、受容手段１４０と、第２の連結体１５０とを備える。ハウジング１１０は開口端１１２と、底端１１４とを有しており、第１の連結体１２０、付勢手段１３０、受容手段１４０及び第２の連結体１５０はいずれもハウジング１１０内に収容されている。
【００２７】
ハウジング１１０の開口端１１２及び底端１１４は、それぞれハウジング１１０の軸方向に対向する両端である。このうち、開口端１１２は開放端であり、底端１１４は封止端である。
【００２８】
収納モジュール１００は更に接着手段１１６を備えてもよく、第１の連結体１２０は粘着手段１１６によりハウジング１１０の底端１１４に固定することができる。このうち、接着手段１１６は粘着性を有する材料層であり、第１の連結体１２０をハウジング１１０の底端１１４に固定することができ、強力接着剤、両面テープ及びスポンジ両面ハウジング１１０であるが、これに限定されない。
【００２９】
第１の連結体１２０は第１のパイプ１２８と、ベース１２２と、延在部分１２４と、凸起１２６とを有する。ベース１２２は第１のパイプ１２８の一端に設けられており、延在部分１２４は第１のパイプ１２８に沿ってベース１２２から開口端１１２に向けて延在しており、凸起１２６は延在部分１２４に設けられている。一つの実施例において、第１の連結体１２０は偶数の延在部分１２４及び、偶数の凸起１２６を有する。一つの具体的な実施例において、延在部分１２４はいずれも第１のパイプ１２８を囲むように配置されている。他の一つの実施例において、第１のパイプ１２８、ベース１２２、延在部分１２４及び凸起１２６が一体成形されており、例えば合成樹脂の射出成型の方式で製作されてなる。
【００３０】
付勢手段１３０は、第１の連結体１２０と第２の連結体１５０との間に設けられており、具体的には、第１の連結体１２０の第１のパイプ１２８に設けられている。一つの具体的な実施例において、付勢手段１３０の一端は第１の連結体１２０のベース１２２に固定されており、付勢手段１３０の他端は第２の連結体１５０に当接している。このうち、付勢手段１３０は、例えば圧縮スプリングといったスプリングであり、付勢手段１３０は押圧された後に逆方向の反作用付勢力を提供することができる。
【００３１】
受容手段１４０は収容部１４２と、挟持部１４４とを有する。収容部１４２はパイプ状であり、挟持部１４４は収容部１４２から第１の連結体１２０の方向に突出しており、且つ第２の連結体１５０は挟持部１４４に被せるように設けてもよい。具体的には、第２の連結体１５０は中空部１５２を有するパイプ状構造とすることができ、挟持部１４４は複数のフック１４６を有してもよく、二つずつで隣接するフック１４６の間には隙間を有しており、フック１４６は第２の連結体１５０の一端から第２の連結体１５０の中空部１５２を貫通して、且つ中空部を貫通するフック１４６は第２の連結体１５０の他端から露出するとともに第２の連結体１５０に係止して、第２の連結体１５０が受容手段１４０から緩んで抜けないようにすることができる。付勢手段１３０は、第２の連結体１５０の中空部１５２及び挟持部１４４の中空箇所に収容されるとともに、電子装置１０が収納状態にあるとき収容部１４２の底面に当接する。
【００３２】
一つの実施例において、第１の連結体１２０及び第２の連結体１５０はそれぞれ少なくとも一つの凸起１２６とレール溝３００とを有しており、凸起１２６とレール溝３００とが互いに結合し、且つ凸起１２６がレール溝３００に沿って摺動することで第１の連結体１２０及び第２の連結体１５０を相対的に回転させるとともに収納モジュール１００の軸方向上で相対的に直線移動させて、凸起１２６とレール溝３００との結合により、受容手段１４０を固定又は解除することができる。
【００３３】
具体的な実施例において、第１の連結体１２０は凸起１２６を有しており、第２の連結体１５０はレール溝３００と第２のパイプ１５４とを有しており、レール溝３００は第２のパイプ１５４の外表面に設けられており、凸起１２６とレール溝３００とが互いに結合可能となっている。このうち、レール溝３００は閉じた環状レール溝とすることができ、電子装置１０が収納状態にあるとき、第１の連結体１２０、付勢手段１３０及び第２の連結体１５０が受容手段１４０を固定位置又は解除位置に位置決めする。しかし本考案を限定するためものものではないが、他の具体的な実施例において、第１の連結体１２０はレール溝３００を有しており、第２の連結体１５０は凸起１２６を有しており、凸起１２６とレール溝３００とが互いに結合可能である。
【００３４】
図３Ａは図２中における第２の連結体の第１の視角での局部拡大図であり、図３Ｂは図２中における第２の連結体の第２の視角での局部拡大図である。以下はいずれも第１の連結体１２０が凸起１２６を有しており、及び第２の連結体１５０がレール溝３００を有するものを例として説明するが、本考案を限定するためのものではない。
【００３５】
図２、図３Ａ及び図３Ｂを同時に参照する。第２の連結体１５０のレール溝３００は、昇降する複数の行程Ｓを有しており、複数の行程Ｓは連続し且つ第２の連結体１５０の外表面に繰り返して配置されており、つまりレール溝３００は複数の行程Ｓにより周期的に連続して閉じた形式となっている。このうち、各々の行程Ｓは固定区間３１０と、解除区間３２０とを含み、各々の固定区間３１０は前後の解除区間３２０に繋がっており、各々の解除区間３２０は前後の固定区間３１０に繋がっている。１つの具体的な実施例において、第２の連結体１５０のレール溝３００はＸ個の行程Ｓを含み、且つ第１の連結体１２０はｎＸ個の凸起１２６を有しており、このうちｎ及びＸはいずれも正の整数であり、つまりレール溝３００の行程Ｓの数量は凸起１２６の数量の整倍数である。
【００３６】
図３Ａを参照する。固定区間３１０は複数の側壁Ｓ１、Ｓ２、Ｓ３、Ｓ４、Ｓ５、Ｓ６、Ｓ７、Ｓ８を有しており、このうち側壁Ｓ１、Ｓ２、Ｓ３、Ｓ４、Ｓ５はレール溝３００にて収容部１４２に近接する側にあり、側壁Ｓ６、Ｓ７、Ｓ８はレール溝３００にて収容部１４２から離れた側にあり、つまり側壁Ｓ１、Ｓ２、Ｓ３、Ｓ４、Ｓ５及び側壁Ｓ６、Ｓ７、Ｓ８はそれぞれレール溝３００の両側にある。
【００３７】
側壁Ｓ１と側壁Ｓ２との間で峰部頂点Ｖ１を形成しており、側壁Ｓ６と側壁Ｓ７との間で谷部頂点Ｖ２を形成しており、側壁Ｓ３と側壁Ｓ４との間で峰部頂点Ｖ３を形成している。谷部頂点Ｖ２は峰部頂点Ｖ１と峰部頂点Ｖ３との間に位置し、且つ谷部頂点Ｖ２、峰部頂点Ｖ１及び峰部頂点Ｖ３は互いにずれるという位置ずれで設けられている。例えば、第２の連結体１５０は軸方向Ａを有しており、谷部頂点Ｖ２と峰部頂点Ｖ１とは軸方向Ａ上で重ならず、谷部頂点Ｖ２と峰部頂点Ｖ３とは軸方向Ａ上で重ならない。谷部頂点Ｖ２、峰部頂点Ｖ１及び峰部頂点Ｖ３が示す方向は、第２の連結体１５０の順方向を向いた第１の方向Ｄ１である。
【００３８】
側壁Ｓ１、Ｓ２、Ｓ３、Ｓ４、Ｓ５、Ｓ６、Ｓ７、Ｓ８はいずれも軸方向Ａに平行とならず且つ軸方向Ａとの間である角度をなしている。本実施例において、側壁Ｓ１、Ｓ２、Ｓ３、Ｓ４、Ｓ５、Ｓ６、Ｓ７、Ｓ８の傾斜方向及び傾斜の角度は完全に同じとせずともよい。例えば、側壁Ｓ３は第１の方向Ｄ１に向けて傾斜し、且つ側壁Ｓ３と軸方向Ａとの間が角度θ１をなしている。側壁Ｓ６は第１の方向Ｄ１と反対向きの第２の方向Ｄ２に向けて傾斜し、且つ側壁Ｓ６と軸方向Ａとの間が角度θ２をなしている。側壁Ｓ３と軸方向Ａとの間の角度θ１は、側壁Ｓ６と軸方向Ａとの間の角度θ２と異なる。側壁Ｓ７は第１の方向Ｄ１に向けて傾斜し、且つ側壁Ｓ７と軸方向Ａとの間が角度θ３をなしている。側壁Ｓ３と軸方向Ａとの間の角度θ１は、側壁Ｓ７と軸方向Ａとの間の角度θ３と異なる。
【００３９】
続いて、図３Ｂを参照されたい。解除区間３２０は複数の側壁Ｓ５、Ｓ８、Ｓ９、Ｓ１０、Ｓ１１を有しており、このうち側壁Ｓ５、Ｓ１１はレール溝３００にて収容部１４２に近接する側にあり、側壁Ｓ８、Ｓ９、Ｓ１０はレール溝３００にて収容部１４２から離れた側にあり、つまり側壁Ｓ５、Ｓ１１及び側壁Ｓ８、Ｓ９、Ｓ１０はそれぞれレール溝３００の両側にある。
【００４０】
ここでは、側壁Ｓ５、Ｓ８は固定区間３１０及び解除区間３２０で同時に使用され、側壁Ｓ１０、Ｓ１１も固定区間３１０及び解除区間３２０で同時に使用されることに注意されたい。側壁Ｓ９と側壁Ｓ１０との間で谷部頂点Ｖ４を形成し、谷部頂点Ｖ４は第１の方向Ｄ１を指向している。
【００４１】
図３Ａの記述と同じく、側壁Ｓ５、Ｓ８、Ｓ９、Ｓ１０、Ｓ１１はそれぞれ軸方向Ａと同一又は異なる角度をなしてもよい。例えば、側壁Ｓ９は第２の方向Ｄ２に向けて傾斜し、且つ側壁Ｓ９と軸方向Ａとの間が角度θ４をなしている。側壁Ｓ１０は第１の方向Ｄ１に向けて傾斜し、且つ側壁Ｓ１０と軸方向Ａとの間が角度θ５をなしている。側壁Ｓ９と軸方向Ａとの間の角度θ４は、側壁Ｓ１０と軸方向Ａとの間の角度θ５と異なる。側壁Ｓ５は第２の方向Ｄ２に向けて傾斜し、且つ側壁Ｓ５と軸方向Ａとの間が角度θ６をなしている。側壁Ｓ５と軸方向Ａとの間の角度θ６は、側壁Ｓ１０と軸方向Ａとの間の角度θ５と異なる。
【００４２】
図４Ａないし図４Ｅはそれぞれ本考案の電子装置の一つの実施例の各異なる収納段階での模式図である。
【００４３】
図４Ａないし図４Ｅを参照する。付勢手段１３０は収容部１４２とベース１２２との間に当接しており、ベース１２２はハウジング１１０の底端１１４に固定されている（粘着手段１１６は図示していない）。各々の要素を識別しやすくするために、第１の連結体１２０は、ベース１２２と、延在部分１２４と、凸起１２６とを有して、破線で示しており、その残りの要素は実線で示しているが、破線はここでは覆われている、又は隠れている要素を表すものでないことを、ここでは特に説明しておきたい。
【００４４】
図４Ａに示すように、電子モジュール２００が収納モジュール１００に収容されるが電子モジュール２００を押下するような力が付与されてないとき、付勢手段１３０による付勢力は持ち上げる力を第２の連結体１５０及び受容手段１４０に提供する。これにより、解除区間３２０の谷部頂点Ｖ４では第１の連結体１２０の凸起１２６と係合して、そして第２の連結体１５０、受容手段１４０及び受容手段１４０中の電子モジュール２００が解除位置に位置決めされる。
【００４５】
続いて、図４Ｂに示すように、もし使用者が電子モジュール２００を押下する力を付与すると、第２の連結体１５０、及び第２の連結体１５０と組み合わされる受容手段１４０が共に押下されて、固定されている第１の連結体１２０に対して順方向（つまり第１の方向Ｄ１）で回転する。例えば、側壁Ｓ１０、Ｓ１１は凸起１２６に伴って摺動して、第２の連結体１５０及び受容手段１４０が沈み込むが、このとき固定区間３１０の峰部頂点Ｖ１は一時的に凸起１２６と係合して、付勢手段１３０が圧縮される。
【００４６】
そして使用者が手を離した後、図４Ｃに示すように、圧縮された付勢手段１３０が元の状態に戻って受容手段１４０及び第２の連結体１５０を持ち上げるように付勢力を提供するが、このとき、峰部頂点Ｖ１は凸起１２６から外れて、側壁Ｓ６が凸起１２６に接触するようになり、第２の連結体１５０が側壁Ｓ６に沿って移動して、谷部頂点Ｖ２と凸起１２６とが係合して、ひいては第２の連結体１５０、受容手段１４０及び受容手段１４０中の電子モジュール２００が固定位置に位置決めされる。
【００４７】
図４Ｄを参照する。使用者が電子モジュール２００を取り出したいとき、電子モジュール２００を再度押圧すると、第２の連結体１５０及び、第２の連結体１５０と組み合わされる受容手段１４０が再度押下されて、固定されている第１の連結体１２０に対して順方向（つまり第１の方向Ｄ１）で回転する。このとき、谷部頂点Ｖ２は凸起１２６から外れて、側壁Ｓ３が凸起１２６に接触するようになり、第２の連結体１５０が側壁Ｓ３に沿って移動して、峰部頂点Ｖ３が一時的に凸起１２６に係合して、付勢手段１３０が圧縮される。
【００４８】
その後、使用者が再度手を離した後、図４Ｅに示すように、圧縮された付勢手段１３０が元の状態に戻って受容手段１４０及び第２の連結体１５０を持ち上げるように付勢力を提供するが、このとき、峰部頂点Ｖ３は凸起１２６から外れて、側壁Ｓ８が凸起１２６に接触するようになり、第２の連結体１５０が側壁Ｓ８に沿って移動して、谷部頂点Ｖ４と凸起１２６とが係合するように戻り、ひいては第２の連結体１５０、受容手段１４０及び受容手段１４０中の電子モジュール２００が解除位置に位置決めされる。
【００４９】
上記したように、峰部頂点Ｖ１、谷部頂点Ｖ２、峰部頂点Ｖ３及び谷部頂点Ｖ４はいずれも第１の方向Ｄ１を指向していることから、凸起１２６は、峰部頂点Ｖ１、谷部頂点Ｖ２、峰部頂点Ｖ３及び谷部頂点Ｖ４に割とスムーズに進入して、そして峰部頂点Ｖ１、谷部頂点Ｖ２、峰部頂点Ｖ３及び谷部頂点Ｖ４から外れる。
【００５０】
本考案の電子装置の一つの実施例の解除位置での断面図である図５を参照する。一つの実施例において、電子モジュール２００は美容に関係する電子モジュール、例えば肌質測定器とすることができる。電子モジュール２００はプローブ２１０を備えており、電子モジュール２００は収納モジュール１００中に収納されたとき、プローブ２１０は、電子モジュール２００のプローブ２１０が外力の衝撃を受けないように保護するために、受容手段１４０内に向いている。
【００５１】
電子装置１０は滑り止め部１６０を更に備えており、滑り止め部１６０は、電子モジュール２００が収納モジュール１００中から直接抜け出るのを防止するために、収納モジュール１００の開口端１１２に設けられている。一つの実施例において、滑り止め部１６０は、いくらか圧縮可能で、十分な摩擦力を提供する材料、例えばラバー等とすることができる。滑り止め部１６０は環状又は部分的に収納モジュール１００の開口端１１２を囲むことができる。その他の実施例において、その他設計、例えば凹部及び凸起点の組み合わせによって、電子モジュール２００が収納モジュール１００から直接抜け出ないようにしてもよい。
【００５２】
本考案では、収納及び取り出ししやすい電子装置を提供するものであって、レール溝の行程を予め設定することで、電子モジュールは収納モジュール中に収納しやすくなり、しかも簡単な押圧動作によって収納モジュール中から取り出すことができる。
【００５３】
本考案では実施例を以上のようにすでに開示したが、しかしこれは本考案を限定するためのものではなく、当業者であれば、本考案の技術思想及び範囲から離れることなく、各種の変更及び付加を行うことができるため、本考案の保護範囲は別紙の特許請求の範囲で限定される範囲を基準として見るべきである。
【図１Ａ】
0003227690.tif 000003
【図１Ｂ】
0003227690.tif 000004
【図２】
0003227690.tif 000005
【図３Ａ】
0003227690.tif 000006
【図３Ｂ】
0003227690.tif 000007
【図４Ａ】
0003227690.tif 000008
【図４Ｂ】
0003227690.tif 000009
【図４Ｃ】
0003227690.tif 000010
【図４Ｄ】
0003227690.tif 000011
【図４Ｅ】
0003227690.tif 000012
【図５】
0003227690.tif 000013
【手続補正書】
【提出日】令和2年6月10日(2020.6.10)
【手続補正１】
【補正対象書類名】実用新案登録請求の範囲
【補正対象項目名】全文
【補正方法】変更
【補正の内容】
【実用新案登録請求の範囲】
【請求項１】
受容手段と、第１の連結体と、第２の連結体と、付勢手段とを有しており、該付勢手段は該第１の連結体と該第２の連結体との間に設けられており、該第２の連結体は該受容手段に設けられており、該第１の連結体及び該第２の連結体はそれぞれ少なくとも一つの凸起とレール溝とを有しており、該第１の連結体及び該第２の連結体は該凸起及び該レール溝によって直線方向上で相対的に移動可能である、収納モジュールと、
該受容手段に連結されている電子モジュールと、
を備えることを特徴とする電子装置。
【請求項２】
電子モジュールと、
受容手段と、第１の連結体と、第２の連結体とを有しており、該受容手段は該電子モジュールに連結されており、該第１の連結体及び該第２の連結体は、互いに結合する少なくとも一つの凸起と、レール溝とをそれぞれ有している、収納モジュールと、
を備え、
該少なくとも一つの凸起および該レール溝により、該受容手段が固定位置又は解除位置に位置決めされる
ことを特徴とする電子装置。
【請求項３】
前記収納モジュールが更にハウジングを備えており、前記受容手段、前記第１の連結体、前記第２の連結体及び前記付勢手段は該ハウジング内に収容されていることを特徴とする請求項１に記載の電子装置。
【請求項４】
前記レール溝が複数の行程を有していることを特徴とする請求項１ないし３のいずれか一項に記載の電子装置。
【請求項５】
各々の前記行程が固定区間を含み、該固定区間は第１の方向に延在している第１の側壁と、第２の方向に延在している第２の側壁とを有していることを特徴とする請求項４に記載の電子装置。
【請求項６】
前記第２の連結体は軸方向を有しており、前記第１の方向と前記軸方向とが第１の角度をなしており、前記第２の方向と前記軸方向とが第２の角度をなしており、該第１の角度は該第２の角度と異なることを特徴とする請求項５に記載の電子装置。
【請求項７】
前記第１の側壁及び前記第２の側壁が前記固定区間の両側又は同じ側に位置していることを特徴とする請求項５に記載の電子装置。
【請求項８】
各々の前記行程が解除区間を含み、該解除区間は前記第１の方向に延在している第３の側壁と、前記第１の方向に延在している第４の側壁とを有しており、前記第２の連結体は軸方向を有しており、該第３の側壁と該軸方向とが第３の角度をなしており、該第４の側壁と該軸方向とが第４の角度をなしており、該第３の角度は該第４の角度と異なることを特徴とする請求項５ないし７のいずれか一項に記載の電子装置。
【請求項９】
前記第３の側壁及び前記第４の側壁が前記解除区間の両側に位置していることを特徴とする請求項８に記載の電子装置。
【請求項１０】
各々の前記行程が複数の峰部頂点と複数の谷部頂点とを含み、該複数の峰部頂点と該複数の谷部頂点とが位置ずれで設けられていることを特徴とする請求項４ないし９のいずれか一項に記載の電子装置。
【請求項１１】
前記少なくとも一つの凸起の数量が偶数個であり、前記行程の数量が前記凸起の数量の整倍数であることを特徴とする請求項４ないし１０のいずれか一項に記載の電子装置。
【請求項１２】
前記ハウジングの開口端に設けられている滑り止め部を更に備えることを特徴とする請求項３に記載の電子装置。